(57)【要約】【課題】  簡単な構成で確実に写真フイルムのサイズを識別する。【解決手段】  画像読取装置２に、写真フイルム４０の画像記録領域６０を検出する領域検出センサ４７を設ける。領域検出センサ４７は、読み取り枠４９の中心からフイルム挿入口４２の方向に、ｄ＝ｄｈ（ｎ＋１）（但し、ｄｈ：ハーフサイズの写真フイルム４０の隣接コマの中心間距離、ｎ：２以上の自然数）で表される距離ｄの間隔を置いて設けられる。システムコントローラ１６は、領域検出センサ４７による画像記録領域６０の所定時間内における検出回数を元に、画像記録領域６０のサイズがフルサイズ、ハーフサイズのいずれであるかを識別する。【選択図】        図３
2005198107.tif 000002
【特許請求の範囲】
【請求項１】
写真フイルムに記録された画像を読み取って画像信号を出力する撮像手段と、
前記写真フイルムを搬送経路に沿って搬送するとともに、前記写真フイルムの画像記録領域を読み取る読み取り枠が形成されたフイルムキャリアとを備えた画像読取装置において、
前記画像記録領域を検出する領域検出センサを、前記読み取り枠の中心から前記搬送経路と平行な方向に、
ｄ＝ｄｈ（ｎ＋１）  （但し、ｄｈ：ハーフサイズの隣接コマの中心間距離、ｎ：２以上の自然数）
で表される距離ｄの間隔を置いて設けるとともに、
前記領域検出センサによる前記画像記録領域の所定時間内における検出回数を元に、前記画像記録領域のサイズがフルサイズ、ハーフサイズのいずれであるかを識別するサイズ識別手段を備えたことを特徴とする画像読取装置。
【請求項２】
前記所定時間は、前記写真フイルムの先端が前記領域検出センサを通過してから、先頭コマが前記読み取り枠にセットされるまでの時間であることを特徴とする請求項１に記載の画像読取装置。
【請求項３】
前記ｎ＝２または３であり、前記検出回数が１回または３回であった場合、前記検出回数が２回または４回になるまで、前記写真フイルムの搬送、および前記検出を行い、
前記検出回数が２回または４回になった後には、前記写真フイルムを元の位置まで戻す搬送制御手段を設けたことを特徴とする請求項１または２に記載の画像読取装置。
【請求項４】
前記ｎ＝２または３であり、前記検出回数が１回または３回であった場合、前記サイズの識別を操作者に選択させる選択手段を設けたことを特徴とする請求項１または２に記載の画像読取装置。
【請求項５】
前記ｎ＝２または３であり、前記検出回数が１回であった場合、前記サイズ識別手段は、フルサイズの写真フイルムであると判定し、前記検出回数が３回であった場合、ハーフサイズの写真フイルムであると判定することを特徴とする請求項１または２に記載の画像読取装置。
【請求項６】
前記撮像手段は、前記ハーフサイズの写真フイルムに記録された画像を、２コマ分纏めて同時に読み取ることを特徴とする請求項１ないし５のいずれかに記載の画像読取装置。    
【請求項７】
前記撮像手段で前記ハーフサイズの写真フイルムから読み取った２コマ分の画像信号に対して、ハーフサイズ専用のデータテーブルに基づいて電子変倍処理を施す電子変倍処理手段を設けたことを特徴とする請求項６に記載の画像読取装置。
【請求項８】
前記画像記録領域外に形成された前記写真フイルムの情報を表すバーコードを読み取るバーコードセンサを、前記撮像手段と前記領域検出センサとの間に設けたことを特徴とする請求項１ないし７のいずれかに記載の画像読取装置。
【発明の詳細な説明】
【技術分野】
【０００１】
本発明は、写真フイルムのサイズを確実に識別することが可能な画像読取装置に関する。
【背景技術】
【０００２】
複数コマが連続した写真フイルムを１コマ毎に給送して、ＣＣＤなどの撮像素子で各コマに記録された画像を読み取る画像読取装置が普及している。この画像読取装置は、写真フイルムの各コマを読み取り位置に位置決めするためのフイルムキャリアを備えている。      
【０００３】
従来の画像読取装置で、ハーフサイズの画像が記録された写真フイルムから画像を読み取る場合には、フイルムキャリアのマスクをハーフサイズ用に交換するなど、煩雑な作業を伴っていた。また、マスクの着脱機構などを設ける必要があるため、フイルムキャリアの構造が複雑化して、製造コストが嵩むという問題があった。
【０００４】
上記問題を解決するために、フルサイズのネガマスクを用いて、ハーフサイズの２コマ分をＣＣＤラインセンサで一括して読み取り、読み取ったデータを処理して２コマのデータに分離する画像読取装置が提案されている（特許文献１および２参照）。
【０００５】
特許文献１に記載の画像読取装置では、情報センサにより写真フイルムの色情報や濃度情報を計測し、写真フイルムに記録された画像コマのサイズとそれぞれのコマの位置とを求め、これにより得られた情報に基づいて、写真フイルムのサイズを識別している。
【０００６】
【特許文献１】特開２０００−３０５１８４号公報
【特許文献２】特開２００１−７９６４号公報
【発明の開示】
【発明が解決しようとする課題】
【０００７】
特許文献１に記載の画像読取装置では、情報センサによる各種情報の読み取りを誤ると、サイズに対応した正規の画像を得ることができなくなる。また、情報センサは、写真フイルムの色情報や濃度情報も読み取らなければならないので、画像を読み取る撮像素子と同等の性能を有する必要があり、部品コストが嵩むという問題があった。
【０００８】
さらに、特許文献１に記載の画像読取装置では、プレスキャン時に上記情報を読み取り、これを元にファインスキャン後の画像補正を行っているが、プレスキャンとファインスキャンとで用いる撮像素子が異なり、個体差が生じるため、適正な画像補正を行うことが非常に困難であるという問題があった。
【０００９】
本発明は、上記課題を鑑みてなされたものであり、簡単な構成で確実に写真フイルムのサイズを識別することができる画像読取装置を提供することを目的とする。
【課題を解決するための手段】
【００１０】
上記目的を達成するために、本発明は、写真フイルムに記録された画像を読み取って画像信号を出力する撮像手段と、前記写真フイルムを搬送経路に沿って搬送するとともに、前記写真フイルムの画像記録領域を読み取る読み取り枠が形成されたフイルムキャリアとを備えた画像読取装置において、前記画像記録領域を検出する領域検出センサを、前記読み取り枠の中心から前記搬送経路と平行な方向に、ｄ＝ｄｈ（ｎ＋１）（但し、ｄｈ：ハーフサイズの隣接コマの中心間距離、ｎ：２以上の自然数）で表される距離ｄの間隔を置いて設けるとともに、前記領域検出センサによる前記画像記録領域の所定時間内における検出回数を元に、前記画像記録領域のサイズがフルサイズ、ハーフサイズのいずれであるかを識別するサイズ識別手段を備えたことを特徴とする。
【００１１】
なお、前記所定時間は、前記写真フイルムの先端が前記領域検出センサを通過してから、先頭コマが前記読み取り枠にセットされるまでの時間である。
【００１２】
なお、前記ｎ＝２または３であり、前記検出回数が１回または３回であった場合、前記検出回数が２回または４回になるまで、前記写真フイルムの搬送、および前記検出を行い、前記検出回数が２回または４回になった後には、前記写真フイルムを元の位置まで戻す搬送制御手段を設けることが好ましい。
【００１３】
あるいは、前記ｎ＝２または３であり、前記検出回数が１回または３回であった場合、前記サイズの識別を操作者に選択させる選択手段を設けてもよい。
【００１４】
さらに、前記ｎ＝２または３であり、前記検出回数が１回であった場合、前記サイズ識別手段は、フルサイズの写真フイルムであると判定し、前記検出回数が３回であった場合、ハーフサイズの写真フイルムであると判定してもよい。
【００１５】
なお、前記撮像手段は、前記ハーフサイズの写真フイルムに記録された画像を、２コマ分纏めて同時に読み取ることが好ましく、前記撮像手段で前記ハーフサイズの写真フイルムから読み取った２コマ分の画像信号に対して、ハーフサイズ専用のデータテーブルに基づいて電子変倍処理を施す電子変倍処理手段を設けることが好ましい。
【００１６】
また、前記画像記録領域外に形成された前記写真フイルムの情報を表すバーコードを読み取るバーコードセンサを、前記撮像手段と前記領域検出センサとの間に設けることが好ましい。
【発明の効果】
【００１７】
本発明の画像読取装置によれば、写真フイルムの画像記録領域を検出する領域検出センサを、読み取り枠の中心から搬送経路と平行な方向に、ｄ＝ｄｈ（ｎ＋１）（但し、ｄｈ：ハーフサイズの隣接コマの中心間距離、ｎ：２以上の自然数）で表される距離ｄの間隔を置いて設けるとともに、領域検出センサによる画像記録領域の所定時間内における検出回数を元に、画像記録領域のサイズがフルサイズ、ハーフサイズのいずれであるかを識別するサイズ識別手段を備えたので、簡単な構成で確実に写真フイルムのサイズを識別することができる。
【発明を実施するための最良の形態】
【００１８】
図１において、本発明を適用した画像読取装置２は、光源１０、拡散ボックス１１、フイルムキャリア１２、および撮像部１３などを備えており、これらは撮像部１３の光軸１４（図中一点鎖線で示す）上に並べて配置されている。
【００１９】
光源１０は、例えばハロゲンランプやＬＥＤからなり、ドライバ１５を介してシステムコントローラ１６により駆動制御される。この光源１０は、リフレクタ１７で囲まれている。リフレクタ１７は、光源１０からの光を反射させて、ハウジング１８に入射させる。ハウジング１８には、ＲＧＢの各色フィルタ１９が配置されている。各色フィルタ１９は、ハウジング１８に入射した光の色バランスを調整して、拡散ボックス１１に入射させる。
【００２０】
拡散ボックス１１の下面および上面には、光を拡散させる拡散板２０、２１がそれぞれ設けられている。各色フィルタ１９により色バランスを調整された光は、下面に配置された拡散板２０で拡散されて拡散ボックス１１に入射し、拡散ボックス１１の内面で反射しながら上方に導かれ、上面に配置された拡散板２１で再び拡散される。拡散ボックス１１で拡散された光は、画像の読み取り位置にセットされた写真フイルム４０（図２参照）に向けて照射される。これにより、写真フイルム４０が、ほぼ均一な光量で照明される。
【００２１】
撮像部１３は、レンズユニット２２と、エリアＣＣＤセンサ（ＣＣＤ）２３とを備えている。レンズユニット２２には、マスターレンズ、フレネルレンズ、補正レンズ、絞りなどの各種光学レンズが纏めて搭載されており、写真フイルム４０を透過した光をＣＣＤ２３の撮像面上に結像させる。
【００２２】
ＣＣＤ２３は、レンズユニット２２により撮像面上に結像された画像を、電気的な撮像信号に変換して出力する。ＣＣＤ２３で出力された撮像信号は、アンプ２４で増幅された後、Ａ／Ｄコンバータ（Ａ／Ｄ）２５によりデジタル信号に変換され、システムコントローラ１６に送信される。
【００２３】
システムコントローラ１６には、画像メモリ２６、電子変倍処理回路２７、および画像補正回路２８が設けられている。画像メモリ２６には、Ａ／Ｄ２５から送信されるデジタルの画像信号が格納される。電子変倍処理回路２７には、フルサイズ、ハーフサイズ専用のデータテーブルがそれぞれ別個に用意されており、ＣＣＤ２３で読み取った画像信号に対して、それぞれのサイズ専用のデータテーブルに基づいて電子変倍処理を施す。画像補正回路２８は、電子変倍処理後の画像データに対して、色階調補正、ハイパートーン処理、ハイパーシャープネス処理などの各種画像補正を施す。なお、ハーフサイズ専用のデータテーブルは、ハーフサイズの写真フイルム４０から読み取った画像が規定のプリントサイズおよび解像度となるように変換するものである。
【００２４】
図２において、フイルムキャリア１２には、ストリップ形態の写真フイルム４０を挿入するためのフイルム挿入口４１から順に、先端検出センサ４２、第１搬送ローラ対４３、第１パーフォレーションセンサ４４、第２、第３搬送ローラ対４５、４６、領域検出センサ４７、バーコードセンサ４８、読み取り枠４９、第４搬送ローラ対５０、第２パーフォレーションセンサ５１、およびフイルム巻き取り軸５２が設けられている。これら各部の動作は、システムコントローラ１６により統括的に制御される。
【００２５】
先端検出センサ４２は、フイルム挿入口４１への写真フイルム４０の先端の挿入を検出して、この検出信号をシステムコントローラ１６に送信する。第１、第２パーフォレーションセンサ４４、５１は、写真フイルム４０のパーフォレーション４０ａ（図３参照）を検出して、この検出信号をシステムコントローラ１６に送信する。システムコントローラ１６は、送信された検出信号をカウントし、各コマの記録位置を特定する。
【００２６】
領域検出センサ４７は、写真フイルム４０の画像記録領域６０（図３参照）を検出して、この検出信号をシステムコントローラ１６に送信する。バーコードセンサ４８は、後述するプレスキャン時に、写真フイルム４０の側部に形成されたコマ番号やフイルムメーカ名、感度などを表すバーコード６１（図３参照）を読み取り、システムコントローラ１６に送信する。システムコントローラ１６は、これにより得られた情報に基づいて、後述するファインスキャン後の画像補正を行う。なお、バーコードセンサ４８を設けずに、ＣＣＤ２３でバーコード６１を読み取ってもよい。
【００２７】
図３に示すように、領域検出センサ４７は、読み取り枠４９の中心からフイルム挿入口４１の方向に、
ｄ＝ｄｈ（ｎ＋１）（但し、ｄｈ：ハーフサイズの写真フイルム４０の隣接コマの中心間距離、ｎ：２以上の自然数、本実施形態ではｎ＝３）
で表される距離ｄの間隔を置いて設けられている。なお、ｄｈの値は、一般に１９ｍｍであるので、本実施形態ではｄ＝１９×（３＋１）＝７６ｍｍとなっている。
【００２８】
システムコントローラ１６は、領域検出センサ４７よる画像記録領域６０の所定時間内における検出回数を元に、画像記録領域６０のサイズがフルサイズ、ハーフサイズのいずれであるかを識別する。ここで、検出回数をカウントする時間は、写真フイルム４０の先頭コマが領域検出センサ４７を通過して、読み取り枠４９にセットされるまでの時間が設定される。この場合、理論的には、フルサイズの写真フイルム４０のコマの後端が２回検出され、ハーフサイズの写真フイルム４０のコマの後端が４回検出されるので、システムコントローラ１６は、領域検出センサ４７による検出回数が２回のときにはフルサイズ、４回以上のときにはハーフサイズの写真フイルム４０として判定する。
【００２９】
一方、領域検出センサ４７よる画像記録領域６０の所定時間内における検出回数が１回または３回であった場合、画像記録領域６０の検出が誤っている可能性が高い。この場合、システムコントローラ１６は、領域検出センサ４７による検出回数が２回または４回以上となるまで、写真フイルム４０の搬送、および領域検出センサ４７による検出を繰り返し行うように各部を制御する。その後、写真フイルム４０を元の位置まで戻すようにフイルム搬送モータ５３を制御する。なお、検出回数が１回または３回であった場合、図１に示すモニタ２９に、サイズの識別を操作者に促すメッセージを表示するなどして、キーボード３０を介して操作者に選択させるようにしてもよい。あるいは、カブリにより画像記録領域６０の端部を検出することができなかった可能性が高いため、検出回数が１回であった場合は、フルサイズの写真フイルム４０であると判定し、検出回数が３回であった場合は、ハーフサイズの写真フイルム４０であると判定してもよい。
【００３０】
ハーフサイズの写真フイルム４０であると判定した場合、システムコントローラ１６は、読み取り枠４９に２コマ分の画像が収まるように、フイルム搬送モータ５３を制御する。この場合、ＣＣＤ２３は、読み取り枠４９に収まった２コマ分を纏めて同時に読み取る。システムコントローラ１６は、この２コマ分の画像を分離して１コマずつの画像とする。
【００３１】
フイルム搬送モータ５３は、先端検出センサ４２や領域検出センサ４７の検出結果に基づいて、システムコントローラ１６により駆動制御される。フイルム搬送モータ５３の駆動力は、図示しないタイミングベルトやプーリを介して、第１〜第４搬送ローラ対４３、４５、４６、５０に伝達される。これにより、第１〜第４搬送ローラ対４３、４５、４６、５０が同期して回転し、写真フイルム４０を読み取り枠４９に向けて引き込む。なお、以下の説明では、フイルム搬送モータ５３の正転に応じた搬送方向をＡ、逆転に応じた搬送方向をＢとする。
【００３２】
フイルム巻き取り軸５２には、画像読み取り後の写真フイルム４０が巻き取られる。このフイルム巻き取り軸５２は、フイルム搬送モータ５３の駆動を利用して回転し、写真フイルム４０を先端から巻き取って収納する。なお、フイルム搬送モータ５３とは別個に、巻き取り専用のモータを設けてもよい。
【００３３】
読み取り枠４９には、ロアマスク５４が設けられている。また、ロアマスク５４に対峙する位置には、アッパマスク５５が設けられている。これらのマスク５４、５５は、その下方から光源１０からの光が照射される読み取り開口５６を有している。読み取り枠４９では、写真フイルム４０を透過した光がＣＣＤ２３で撮像され、各コマの画像が読み取られる。
【００３４】
圧着機構５７は、読み取り枠４９にセットされた写真フイルム４０の対象コマを、ロアマスク５４とアッパマスク５５との間で押さえ付けるものであり、例えば、アッパマスク５５を保持し、写真フイルム４０を開放する退避位置、および写真フイルム４０をロアマスク５４とアッパマスク５５により挟持する挟持位置の間で変位自在な圧着板と、この圧着板を駆動させるソレノイドなどの駆動部とからなる。
【００３５】
次に、上記構成を有する画像読取装置２の動作について説明する。まず、写真フイルム４０から画像を読み取る場合には、フイルム挿入口４１から写真フイルム４０を挿入する。写真フイルム４０がフイルム挿入口４１に挿入されると、その先端が先端検出センサ４２に検出され、この検出信号がシステムコントローラ１６に送信される。システムコントローラ１６は、検出信号に応答してフイルム搬送モータ５３を正転駆動させる。これにより、第１〜第４搬送ローラ対４３、４５、４６、５０が同期して回転され、写真フイルム４０が読み取り枠４９に向けて搬送される。
【００３６】
写真フイルム４０の搬送中は、第１、第２パーフォレーションセンサ４４、５１で写真フイルム４０のパーフォレーション４０ａが検出される。システムコントローラ１６は、第１、第２パーフォレーションセンサ４４、５１からフイルム頭出し分に応じた所定の検出信号を受信すると、フイルム搬送モータ５３の駆動を一旦停止させる。これにより、先頭コマが読み取り枠４９にセットされる。
【００３７】
このとき、領域検出センサ４７により、写真フイルム４０の画像記録領域６０が検出され、この検出信号がシステムコントローラ１６に送信される。システムコントローラ１６では、写真フイルム４０の先頭コマが領域検出センサ４７を通過して、読み取り枠４９にセットされるまでの間、領域検出センサ４７による画像記録領域６０の検出回数がカウントされる。
【００３８】
システムコントローラ１６では、検出回数が２コマであった場合はフルサイズ、４コマまたは５コマの場合はハーフサイズの写真フイルム４０であると判定される。一方、検出回数が１回または３回であった場合、領域検出センサ４７による検出回数が２回または４回以上となるまで、写真フイルム４０の搬送、および領域検出センサ４７による検出を繰り返し行うように、システムコントローラ１６により各部が制御される。その後、写真フイルム４０を元の位置まで戻すようにフイルム搬送モータ５３が制御される。
【００３９】
ハーフサイズの写真フイルム４０であると判定された場合は、読み取り枠４９に２コマ分の画像が収まるように、システムコントローラ１６によりフイルム搬送モータ５３が制御される。この場合、読み取り枠４９に収まった２コマ分の画像は、ＣＣＤ２３で纏めて同時に読み取られる。
【００４０】
先頭コマ（ハーフサイズの場合は先頭コマおよび第２番目のコマ、以下同様）の読み取り枠４９へのセットが完了すると、システムコントローラ１６により圧着機構５７が作動し、ロアマスク５４とアッパマスク５５とで、写真フイルム４０の先頭コマが押さえ付けられる。
【００４１】
圧着機構５７が作動して写真フイルム４０がロアマスク５４とアッパマスク５５とにより押さえ付けられた後、システムコントローラ１６からプレスキャン開始信号が送信され、光源１０が点灯される。このプレスキャンは、比較的粗い読み取り精度で各コマの画像を読み取り、後に行われるファインスキャンで読み取ったデータを補正するプレスキャン情報をコマ毎に算出するために行われる。プレスキャン情報は、システムコントローラ１６内の図示しないメモリに、各コマに対応付けて記憶される。
【００４２】
先頭コマのプレスキャン後、システムコントローラ１６によりフイルム搬送モータ５３が再び正転駆動され、写真フイルム４０がＡ方向に１コマ分移送される。以下、同様に写真フイルム４０がＡ方向に１コマずつ送られながら、各コマに対してプレスキャンが行われる。なお、このプレスキャン中に、バーコードセンサ４８によりバーコード６１が読み取られ、システムコントローラ１６に送信される。
【００４３】
全コマのプレスキャン後、システムコントローラ１６によりフイルム搬送モータ５３の駆動が停止される。そして、フイルム搬送モータ５３が逆転駆動され、写真フイルム４０がＢ方向に逆送される。画像読取装置２では、記憶したプレスキャン情報とバーコードセンサ４８により得られた情報とに基づいて、最終コマから順にファインスキャンが行われ、各コマの画像が読み取られる。全コマのファインスキャン後、写真フイルム４０は、第１〜第４搬送ローラ対４３、４５、４６、５０によりＢ方向に逆送され、フイルム挿入口４１から排出される。
【００４４】
プレスキャンおよびファインスキャン時、光源１０からの光は、色フィルタ１９により色バランスを調整された後、拡散ボックス１１により拡散され、読み取り開口５６を介して写真フイルム４０に照射される。写真フイルム４０を透過した光は、レンズユニット２２によりＣＣＤ２３の撮像面上に結像される。ＣＣＤ２３では、レンズユニット２２により撮像面上に結像された画像が、電気的な撮像信号に変換して出力される。ＣＣＤ２３で出力された撮像信号は、アンプ２４で増幅された後、Ａ／Ｄ２５によりデジタル信号に変換され、システムコントローラ１６に送信される。システムコントローラ１６では、Ａ／Ｄ２５から送信されたデジタルの画像信号が画像メモリ２６に一旦格納される。
【００４５】
画像メモリ２６に格納された画像データは、電子変倍処理回路２７によりそれぞれのサイズ専用のデータテーブルに基づいた電子変倍処理が施され、画像補正回路２８により各種画像補正が施される。
【００４６】
上記のような構成であると、領域検出センサ４７による画像記録領域６０の検出回数をカウントするだけで、確実に写真フイルム４０のサイズを識別することができる。したがって、サイズに対応した正規の画像が得られないという不具合が生じるおそれがなくなり、装置の信頼性を向上させることができる。また、領域検出センサ４７は、画像記録領域６０を検出するだけでよいので、ＣＣＤ２３と同等の性能を有する必要がなく、部品コストを抑えることができる。また、ＣＣＤ２３のみでプレスキャンとファインスキャンとを行うので、画像補正時にＣＣＤの個体差を考慮しなくてもよく、適正な画像補正を行うことができる。さらに、ハーフサイズ専用のデータテーブルに基づいて電子変倍処理を施すので、拡大処理と電子変倍処理とを同時に行え、処理を高速化することが可能となる。
【００４７】
ここで、最近の傾向として、ハーフサイズの写真フイルム４０に対応したカメラが少なくなっており、プリント注文されるハーフサイズの写真フイルム４０は、撮影からかなりの年月が経過しているものが多い。このため、写真フイルム４０自体が劣化している、あるいは古いカメラで撮影しているためにカブリが生じているといった理由から、画像記録領域６０の境界が曖昧になっている場合が多い。このことから、写真フイルム４０のサイズを識別する精度を向上させるためにも、距離ｄを可能な限り大きくとることが好ましい。
【００４８】
距離ｄを１本分の写真フイルム４０長さと同等にとれば、自動フイルム送り装置などを装備した高速処理が要求される画像読取装置の上位機種に適用した場合、フルサイズ、ハーフサイズの写真フイルム４０が混在した状況においても、フイルム毎のサイズを識別することができるため、非常に効率良く画像の読み取りを行うことができる。
【００４９】
上記実施形態では、ｎ＝３としてｄを決定しているが、ｎの値は２でもよく、４以上であってもよい。但し、この場合、領域検出センサ４７で検出する画像記録領域６０の数が変わるので、これに応じてサイズを識別する際に参照する領域検出センサ４７の検出回数を定める必要がある。
【００５０】
なお、本発明は、上記実施形態のように、１コマずつ読み取り位置に搬送する間欠送りではなく、写真フイルムを連続送りして、ラインＣＣＤセンサなどの撮像素子で写真フイルムの幅方向に走査する方式にも適用可能である。また、上記実施形態では、１つのフイルム搬送路を有するフイルムキャリア１２を例として挙げたが、２つの搬送路を有するものに本発明を適用してもよい。
【図面の簡単な説明】
【００５１】
【図１】本発明を適用した画像読取装置の概略構成を示す図である。
【図２】フイルムキャリアの概略構成を示す図である。
【図３】読み取り枠と領域検出センサとの位置関係を示す説明図である。
【符号の説明】
【００５２】
２  画像読取装置
１０  光源
１２  フイルムキャリア
１３  撮像部
１４  光軸
１６  システムコントローラ
２３  エリアＣＣＤセンサ（ＣＣＤ）
２７  電子変倍処理回路
２９  モニタ
３０  キーボード
４０  写真フイルム
４３、４５、４６、５０  第１〜第４搬送ローラ対
４７  領域検出センサ
４８  バーコードセンサ
４９  読み取り枠
５３  フイルム搬送モータ
５４  ロアマスク
５６  アッパマスク
５７  圧着機構
６０  画像記録領域
６１  バーコード
【図１】
2005198107.tif 000003
【図２】
2005198107.tif 000004
【図３】
2005198107.tif 000005